(57)【特許請求の範囲】
【請求項１】
厚み方向へ連通する通気孔が設けられた開閉体本体と、前記通気孔を覆うようにして前記開閉体本体に装着された被覆部材とを備え、
開閉体本体面における前記通気孔の周囲に被係合部材を設け、前記被覆部材の端部側を前記被係合部材に対し着脱可能に係合した開閉体において、
前記被係合部材を、前記通気孔を間に置くようにしてその両側に設け、
これら両被係合部材の各々を前記被覆部材の端部に対し凹凸状に嵌り合うように形成し、前記被覆部材が前記両被係合部材の間に抜き差しされるようにし、
前記両被係合部材間に差し込まれた前記被覆部材を、その差し込み方向側から受ける受部材を設け、
前記両被係合部材間に差し込まれた前記被覆部材に対し、その抜き方向側から近接又は接触する押さえ部材を設け、
前記被覆部材は、多数の小孔を有する板状の部材と、この板状の部材の周囲を矩形状に囲む枠状部材とを具備し、
前記枠状部材は、前記差し込み方向側と前記抜き方向側にそれぞれ位置する二つの辺部と、これら二つの辺部をその延設範囲の途中で部分的に接続する補強柱とを有し、
前記押さえ部材は、前記補強柱の位置に対応して、前記延設範囲の途中に部分的に設けられ、前記開閉体本体に対し着脱可能に止着されていることを特徴とする開閉体。
【請求項２】
前記板状の部材は、網目を前記多数の小孔とした網状部材であることを特徴とする請求項１記載の開閉体。
【請求項３】
前記押さえ部材は、前記被覆部材の抜き方向側の前記辺部を部分的に囲むように、開閉体本体面から突出するとともに、その突端側が前記差し込み方向側へ曲がっていることを特徴とする請求項１又は２記載の開閉体。
【請求項４】
前記通気孔内にはガラリが装着され、
前記ガラリは、開閉体厚さ方向の両側に下り傾斜面を有する断面略山形状の傾斜板を、上下方向に間隔を置いて複数設けてなることを特徴とする請求項１〜３何れか１項記載の開閉体。
【発明の詳細な説明】
【技術分野】
【０００１】
本発明は、引戸や、開き戸（ドア）、折戸、パネルシャッター装置やオーバヘッドドア装置等を構成する開閉体に関するものである。
【背景技術】
【０００２】
従来、この種の発明には、例えば特許文献１に記載のもののように、通気口にガラリを装着した開閉体（建具）がある。前記ガラリは、水平方向へ延設された傾斜板を、上下方向に間隔をおいて配設したものであり、隣接する傾斜板の間には通気通路となる空間が形成されるため、この空間を通って、虫や異物等が通過する場合がある。
そこで、前記のような建具には、前記ガラリを覆うようにして、防虫網を有する被覆部材を多数のネジにより止着する場合がある。
このため、前記被覆部材と、ガラリとの間には、虫や埃等の異物が溜まり易く、このような異物を定期的に除去することが望ましい。
しかしながら、そのためには、前記被覆部材を止着している多数のネジを着脱しなければならず、その作業に時間がかかってしまうのが現状である。
また、台風による暴風を防ぐためや、室内の保温等のために、一時的に、前記通気口を被覆部材により塞ぐことも想定される。
【先行技術文献】
【特許文献】
【０００３】
【特許文献１】特開２００３−１４８０６３号公報
【発明の概要】
【発明が解決しようとする課題】
【０００４】
本発明は上記従来事情に鑑みてなされたものであり、その課題とする処は、開閉体本体の通気孔を覆う被覆部材を容易に着脱することができる開閉体を提供することにある。
【課題を解決するための手段】
【０００５】
上記課題を解決するための一手段は、厚み方向へ連通する通気孔が設けられた開閉体本体と、前記通気孔を覆うようにして前記開閉体本体に装着された被覆部材とを備え、開閉体本体面における前記通気孔の周囲に被係合部材を設け、前記被覆部材の端部側を前記被係合部材に対し着脱可能に係合した開閉体において、前記被係合部材を、前記通気孔を間に置くようにしてその両側に設け、これら両被係合部材の各々を前記被覆部材の端部に対し凹凸状に嵌り合うように形成し、前記被覆部材が前記両被係合部材の間に抜き差しされるようにし、前記両被係合部材間に差し込まれた前記被覆部材を、その差し込み方向側から受ける受部材を設け、前記両被係合部材間に差し込まれた前記被覆部材に対し、その抜き方向側から近接又は接触する押さえ部材を設け、前記被覆部材は、多数の小孔を有する板状の部材と、この板状の部材の周囲を矩形状に囲む枠状部材とを具備し、前記枠状部材は、前記差し込み方向側と前記抜き方向側にそれぞれ位置する二つの辺部と、これら二つの辺部をその延設範囲の途中で部分的に接続する補強柱とを有し、前記押さえ部材は、前記補強柱の位置に対応して、前記延設範囲の途中に部分的に設けられ、前記開閉体本体に対し着脱可能に止着されている。
【発明の効果】
【０００６】
本発明は、以上説明したように構成されているので、開閉体本体の通気孔を覆う被覆部材を容易に着脱することができる。
【図面の簡単な説明】
【０００７】
【図１】本発明に係る開閉体の一例を示す正面図である。
【図２】図１における（II）−（II）線に沿う断面図である。
【図３】図１における（III）−（III）線に沿う断面図である。
【図４】被覆部材の一例を示す正面図である。
【図５】開閉体本体から被覆部材を外した状態を示す要部正面図である。
【図６】開閉体本体から被覆部材を外した状態を示す要部縦面図である。
【発明を実施するための形態】
【０００８】
本実施の形態の第一の特徴は、厚み方向へ連通する通気孔が設けられた開閉体本体と、前記通気孔を覆うようにして前記開閉体本体に装着された被覆部材とを備えた開閉体において、開閉体本体面における前記通気孔の周囲に被係合部材を設け、前記被覆部材の端部側を前記被係合部材に対し着脱可能に係合した。
ここで、前記「開閉体本体」には、引戸や、開き戸（ドア）、折戸等の建具を含み、さらに、パネルシャッター装置やオーバヘッドドア装置の開閉体を構成するパネル等も含む。
また、前記「被覆部材」には、防虫網や、多数の小孔を有する板状部材、孔を有さない板状部材等を含む。
前記構成によれば、被係合部材と被覆部材端部との係脱により、被覆部材を容易に着脱することができる。
【０００９】
第二の特徴としては、前記被係合部材を、前記通気孔を間に置くようにしてその両側に設け、これら両被係合部材の各々を前記被覆部材の端部に対し凹凸状に嵌り合うように形成し、前記被覆部材が前記両被係合部材の間に抜き差しされるようにした（図３参照）。
【００１０】
第三の特徴としては、前記両被係合部材間に差し込まれた前記被覆部材を、その差し込み方向側から受ける受部材を設けた（図２，図５，図６参照）。
【００１１】
第四の特徴としては、前記両被係合部材間に差し込まれた前記被覆部材に対し、その抜き方向側から近接又は接触する押さえ部材を設け、この押さえ部材を前記開閉体本体に対し着脱可能に止着した（図３，図５，図６参照）。
【００１２】
第五の特徴としては、前記被覆部材は、多数の小孔を有する板状に形成されている。
【００１３】
第六の特徴としては、前記被覆部材は、網目を前記多数の小孔とした網状部材と、該網状部材の周囲を囲む枠状部材とを具備している（図４参照）。
【実施例】
【００１４】
次に、上記特徴を有する好ましい実施例を、図面に基づいて詳細に説明する。
【００１５】
図１に示す開閉体１は、その上方側の略水平状のガイドレール（図示せず）に吊り下げられるとともに、該ガイドレールに沿って横幅方向へ開閉動作するようにした吊式引戸である。
この開閉体１は、厚み方向へ連通する通気孔１０ａが設けられた開閉体本体１０と、前記通気孔を覆うようにして開閉体本体１０の表面又は裏面（本実施例によれば室内側の面）に装着された被覆部材２０とを具備している。
【００１６】
開閉体本体１０は、表板１１と裏板１２の間に芯材１３（図２参照）を挟み込むようにして正面視矩形状に構成され、その下端寄りの部分に、矩形状の通気孔１０ａが貫通形成され、該通気孔１０ａ内にはガラリ１４を装着している。
【００１７】
ガラリ１４は、開閉体厚さ方向の両側に下り傾斜面を有する断面略山形状の傾斜板１４ａを、上下方向に間隔を置いて複数並べ、矩形状の支持枠１４ｂ内に固定してなる。そして、このガラリ１４は、通気孔１０ａ内に固定された固定枠１５内に、ネジによって止着されている。したがって、前記ネジを外せば、ガラリ１４を外すことが可能である。
各傾斜板１４ａは、開閉体横幅方向へ連続し、その両端部が支持枠１４ｂに接続されている。
なお、ガラリ１４の他例としては、開閉体厚さ方向の片側に下り傾斜面を有する態様とすることも可能である。
【００１８】
そして、開閉体本体１０面（詳細には裏板１２表面）における通気孔１０ａの周囲には、後述する被覆部材２０を装着するための被係合部材１６や、受け部材１７等が予め固定されている。また、これら被係合部材１６及び受け部材１７に被覆部材２０が装着された後に、押さえ部材１８が止着される。
【００１９】
被係合部材１６は、通気孔１０ａの左右両側に略平行に配設される。各被係合部材１６は、被覆部材２０の左右端部に対し凹凸状に嵌り合う断面凹状であって且つ上下方向へ連続する部材であり、開閉体本体１０面に、ネジ止めや、溶接、嵌合等の固定手段（図示例によればネジ止め）によって固定されている（図３参照）。
【００２０】
受け部材１７は、各被係合部材１６の下端側から通気孔１０ａ側へ延びて被覆部材２０の下端を受ける凹状部材である（図２及び図５参照）。この受け部材１７は、図示例によれば、各被係合部材１６に対応して通気孔１０ａの両側に位置するように二つ設けられる。なお、受け部材１７の他例としては、左右の受け部材１７間を結ぶ一体状の部材とした態様や、各被係合部材１６の凹溝の下端を閉鎖した態様等とすることが可能である。
この受け部材１７を開閉体本体１０面に止着する手段は、被係合部材１６と同様に、ネジ止めや、溶接、嵌合等とすればよい。
【００２１】
押さえ部材１８は、被覆部材２０の装着後に、被覆部材２０の上端部に近接又は接触するようにして、開閉体本体１０面にネジによって止着される。
この押さえ部材１８は、前記ネジを外すことで、開閉体本体１０面から外すことが可能であり、その着脱性を良好にするために、被覆部材２０の中央寄りに部分的に設けられる。
【００２２】
また、被覆部材２０は、網状部材２１と、該網状部材２１の周囲を囲む枠状部材２２と、網状部材２１を枠状部材２２に止着する網押さえ部材２３とから略矩形板状に構成される。
網状部材２１は、周知の網戸などに用いられる網であり、多数の網目（小孔）を有する。
枠状部材２２は、通気孔１０ａ側に開口を有する断面凹状の長尺部材を、矩形枠状に組み合わせ固定してなる。なお、図４中、符号２２ａは、枠状部材２２の上下辺間に接続された補強柱である。
網状部材２１の端部側は、枠状部材２２の凹状部分に挿入され、同凹状部分にゴムなどの弾性材料からなる網押さえ部材２３が嵌め合わせられることで、枠状部材２２に対し固定される。
【００２３】
そして、上記構成の被覆部材２０は、左右の被係合部材１６の凹状部分の間に嵌め合わせられ、その下端部が受け部材１７に受けられ、上端部が押さえ部材１８によって押さえらる。
【００２４】
次に、上記構成の開閉体１について、その特徴的な作用効果を詳細に説明する。
開閉体１は、ガラリ１４に対し網状部材２１を近接させているため、各傾斜板１４ａと網状部材２１との間には、虫や埃などの異物が溜まる場合がある。このような場合には、被覆部材２０を外して、異物を除去することができる。
すなわち、図５及び図６に示すように、押さえ部材１８を外して、被覆部材２０を上方へ移動させれば、被覆部材２０を、左右の被係合部材１６，１６に対し上方へ引き抜くことができる。
また、被覆部材２０を開閉体本体１０に装着する際は、前記と逆に、左右の被係合部材１６，１６の間に被覆部材２０を差し込み、押さえ部材１８をネジ止めすればよい。
よって、上記構成の開閉体１によれば、開閉体本体１０に装着された被覆部材２０を容易に着脱することができる。
【００２５】
なお、上記実施例によれば、被覆部材２０を多数の網目（小孔）を有する態様としたが、被覆部材２０の他例としては、孔のない矩形状の板材とすることも可能である。この他例は、たとえば、台風による暴風を防ぐためや室内の保温等のために、一時的に通気孔１０ａを塞ぐのに有用である。
【００２６】
また、上記実施例によれば、各押さえ部材１８を凹状に形成し、この凹状部分に被覆部材２０の端部を挿入し嵌め合わせるようにしたが、他例としては、押さえ部材１８と被覆部材２０の凹凸関係を逆にすることも可能である。
【００２７】
上記実施例によれば、着脱性の良好な態様として押さえ部材１８を被覆部材２０の横幅方向の全長に対し部分的に設けたが、この押さえ部材１８の他例としては、被覆部材２０の全長にわたる態様とすることも可能である。
【００２８】
上記実施例によれば、被覆部材２０を網状部材２１及び枠状部材２２などから構成したが、被覆部材２０の他例としては、矩形状の板材に、通気孔１０ａの開口部よりも小さい多数の小孔を形成した態様とすることも可能である。
【００２９】
また、上記実施例によれば、被覆部材２０を上方側から抜き差しする態様としたが、他例としては、被覆部材２０を左方向側又は右方向側から抜き差しする態様とすることも可能である。
【００３０】
また、上記実施例によれば、被覆部材２０を被係合部材１６に対し抜き差しする態様としたが、他例としては、被覆部材２０の一端側を蝶番を介して開閉体本体１０面に止着し、他端側を開閉体本体１０面に対し、図示しない被係合部材を介して着脱可能に止着することで、開閉体本体１０が回動してガラリ１４から離れる態様とすることも可能である。
【符号の説明】
【００３１】
１：開閉体
１０：開閉体本体
１０ａ：通気孔
１４：ガラリ
１４ａ：傾斜板
１６：被係合部材
１７：受け部材
１８：押さえ部材
２０：被覆部材
２１：網状部材
２２：枠状部材
【図１】
0006592295.tif 000002
【図２】
0006592295.tif 000003
【図３】
0006592295.tif 000004
【図４】
0006592295.tif 000005
【図５】
0006592295.tif 000006
【図６】
0006592295.tif 000007